(57)【特許請求の範囲】
【請求項１】
通信機において、
第１の通信条件を設定する第１のＳＩＭまたは第２の通信条件を設定する第２のＳＩＭを選択してＰＬＭＮの第１の接続先と通信を行う第１の通信部と、
ＰＬＭＮ以外の第２の接続先と通信を行う第２の通信部と、
前記通信機の状態を監視するセンサ部と
前記第１の通信部が前記第１のＳＩＭを用いて接続中に前記第２の通信部が接続すると前記第２のＳＩＭに切換え、前記第１の通信部が前記第２のＳＩＭを用いて接続中に前記第２の通信部が接続していないと前記通信機の状態を含む所定の条件に基づいて前記第１のＳＩＭに切り換える制御部とを備えることを特徴とする通信機。
【請求項２】
通信機において、
第１の通信条件を設定する第１のＳＩＭまたは第２の通信条件を設定する第２のＳＩＭを選択してＰＬＭＮの第１の接続先と通信を行う第１の通信部と、
ＰＬＭＮ以外の第２の接続先と通信を行う第２の通信部と、
前記通信機の状態を監視するセンサ部と
前記第１の通信部が前記第１のＳＩＭを用いて接続中に前記第２の通信部が接続し、前記第２の通信部の受信電界強度が所定の値以上であれば前記第２のＳＩＭに切換え、
前記第１の通信部が前記第２のＳＩＭを用いて接続中に前記第２の通信部が接続していないと、前記通信機の状態を含む所定の条件に基づいて前記第１のＳＩＭに切り換え、
前記第１の通信部が前記第２のＳＩＭを用いて接続中に前記第２の通信部が接続し、前記第２の通信部の受信電界強度が所定の値より小さいと、前記通信機の状態を含む所定の条件に基づいて前記第１のＳＩＭに切り換える制御部とを備えることを特徴とする通信機。
【請求項３】
前記通信機の状態は加速度、所在位置、充電状況のいずれかを含み、
前記所定の条件は前記加速度が所定の時間内に所定の値以上であるか、前記所在位置の変動が所定の時間内において所定の値以上であるか、または前記充電状況が充電中であるという命題に包含される命題が満足されることであることを特徴とする請求項１または請求項２のいずれかに記載の通信機。
【請求項４】
前記第１の接続先と、
前記第２の接続先と、
請求項１乃至請求項３のいずれかに記載の通信機とを備えることを特徴とする、通信システム。
【請求項５】
ＰＬＭＮと接続する第１の通信部と、ＰＬＭＮ以外と接続する第２の通信部を有する通信機の通信方法であって、
前記第１の通信部が第１の通信条件を設定する第１のＳＩＭを用いて接続中に前記第２の通信部が接続すると第２の通信条件を設定する第２のＳＩＭに切換え、前記第１の通信部が前記第２のＳＩＭを用いて接続中に前記第２の通信部が接続していないと所定の条件に基づいて前記第１のＳＩＭに切り換えることを特徴とする通信方法。
【請求項６】
ＰＬＭＮと接続する第１の通信部と、ＰＬＭＮ以外と接続する第２の通信部を有する通信機の通信方法であって、
前記第１の通信部が第１の通信条件を設定する第１のＳＩＭを用いて接続中に前記第２の通信部が接続し、前記第２の通信部の受信電界強度が所定の値以上であれば第２の通信条件を設定する第２のＳＩＭに切換え、
前記第１の通信部が前記第２のＳＩＭを用いて接続中に前記第２の通信部が接続していないと、所定の条件に基づいて前記第１のＳＩＭに切り換え、
前記第１の通信部が前記第２のＳＩＭを用いて接続中に前記第２の通信部が接続し、前記第２の通信部の受信電界強度が所定の値より小さいと、所定の条件に基づいて前記第１のＳＩＭに切り換えることを特徴とする通信方法。
【請求項７】
前記所定の条件は前記通信機が移動中であること、充電中であることのいずれか、または両方を満足することを特徴とする請求項５または請求項６のいずれかに記載の通信方法。
【請求項８】
ＰＬＭＮと接続する第１の通信部と、ＰＬＭＮ以外と接続する第２の通信部を有する通信機のプログラムであって、
前記第１の通信部が第１の通信条件を設定する第１のＳＩＭを用いて接続中に第２の通信部が接続すると第２の通信条件を設定する第２のＳＩＭに切換え、前記第１の通信部が前記第２のＳＩＭを用いて接続中に前記第２の通信部が接続していないと所定の条件に基づいて前記第１のＳＩＭに切り換えることをコンピュータに実行させる通信機のプログラム。
【請求項９】
ＰＬＭＮと接続する第１の通信部と、ＰＬＭＮ以外と接続する第２の通信部を有する通信機のプログラムであって、
前記第１の通信部が第１の通信条件を設定する第１のＳＩＭを用いて接続中に前記第２の通信部が接続し、前記第２の通信部の受信電界強度が所定の値以上であれば第２の通信条件を設定する第２のＳＩＭに切換え、
前記第１の通信部が前記第２のＳＩＭを用いて接続中に前記第２の通信部が接続していないと、所定の条件に基づいて前記第１のＳＩＭに切り換え、
前記第１の通信部が前記第２のＳＩＭを用いて接続中に前記第２の通信部が接続し、前記第２の通信部の受信電界強度が所定の値より小さいと、所定の条件に基づいて前記第１のＳＩＭに切り換えることをコンピュータに実行させる通信機のプログラム。
【請求項１０】
前記所定の条件は通信機が移動中であること、充電中であることのいずれか、または両方を満足することを特徴とする請求項８または請求項９のいずれかに記載の通信機のプログラム。
【発明の詳細な説明】
【技術分野】
【０００１】
本発明は、通信機、通信システム、通信方法およびプログラムに関するものである。
【背景技術】
【０００２】
携帯電話やスマートホン、或いはモバイルルータなどの無線通信機の多くは、ＳＩＭ（Subscriber Identity Module）を搭載してＰＬＭＮ（public land mobile network；地上波公共移動通信ネットワーク）と接続する。ＳＩＭにはＳＩＭカードが挿入され、ＳＩＭカードはＰＬＭＮの運用者から提供される。また、ＳＩＭカードには国番号、事業者番号、カード番号などが記憶されている。
【０００３】
また、これら無線通信機には、固定回線に接続された無線ＬＡＮ（Local Area Network）とも接続可能な機種が多く存在する。そこで、外出時はＳＩＭを利用してＰＬＭＮとデータ通信を行い、自宅では自宅内の固定回線に接続され、利用料金が極めて低廉な無線ＬＡＮを利用してデータ通信をすることにより、通信料金を節約する方法が一般的に行われている。
【０００４】
しかし、自宅において無線通信機がデータ通信のために無線ＬＡＮと接続していたが、無線ＬＡＮとの接続が何らかの原因で切断された場合に、無線通信機はデータ通信の接続を無線ＬＡＮからＰＬＭＮの接続に自動的に切り替える。その結果、使用者が意識しない内にＰＬＭＮと大量のデータ通信が行われる場合がある。
【０００５】
ここで、ＳＩＭカードの契約形態として、月々のデータ通信量が一定量までは高速通信であるが、一定量を超えると低速通信になる高速通信用ＳＩＭカードがある。この高速通信用ＳＩＭカードを利用して、先に示した例のように無意識のうちに大量のデータ通信が行なわれると、データ量が高速通信に許される一定量を超過して、その後は低速通信しか使用できなくなってしまう。
【０００６】
また、ＳＩＭカードの別の契約形態として、高速通信は出来ないが使用料金が低料金で、通信量に制限のない低速通信用ＳＩＭカードがある。
【０００７】
一方、無線通信機にはデュアルＳＩＭ機とも呼ばれる２つのＳＩＭを搭載した機種がある。
【０００８】
そこで、デュアルＳＩＭ機に高速通信用ＳＩＭカードと低速通信用ＳＩＭカードの２枚が挿入され、自宅では低速通信用ＳＩＭカードに、自宅外では高速通信用ＳＩＭカードに切り換えて使用されることを考える。
【０００９】
このようにすると、使用者が自宅で無線ＬＡＮを用いてデータ通信をしていて、何らかの理由で無線ＬＡＮが切断されても、自宅においては低速通信用ＳＩＭカードを使用してＰＬＭＮと接続されるため、データ通信が行えなくなる事態は避けられる。また、使用者が無意識のうちに、高速通信用ＳＩＭカードが使用されることも無い。
【００１０】
尚、無線ＬＡＮの接続から低速通信用ＳＩＭカードによるＰＬＭＮへの接続に移行すると、使用者はデータ通信が低速になったために不便を感じる。しかし、使用者は無線通信機の表示によって接続先が替わったことを確認できて、使用者は無線ＬＡＮとの接続を確認し、復旧することが出来る。
【００１１】
しかし、このように２枚のＳＩＭカードを使い分けるためには、使用者がＳＩＭの切り換えを手動で行う必要があり、使用者の操作忘れを回避するために、ＳＩＭの切り換えの自動化が望まれる。
【００１２】
無線通信機がＳＩＭの切り換えを自動で行う方法として、特許文献１に関連技術が示されている。特許文献１では、デュアルＳＩＭ機が２枚のＳＩＭカードのどちらを選択して通信するかについて、無線通信機が置かれている場所で通信可能なＰＬＭＮに対応するＳＩＭカードを、無線通信機が選択して接続する方法が示されている。
【００１３】
例えば、無線通信機に国内のＰＬＭＮ用のＳＩＭカードと海外のＰＬＭＮ用のＳＩＭカードが挿されていて、使用場所が国内か海外のどちらかを無線通信機が判断して、無線通信機が使用するＳＩＭカードを選択する。
【先行技術文献】
【特許文献】
【００１４】
【特許文献１】特表2009-542149号公報
【発明の概要】
【発明が解決しようとする課題】
【００１５】
しかし、特許文献１には、自宅内無線ＬＡＮのようなＰＬＭＮ以外の無線システムとの接続状況を判断して、複数のＳＩＭカードのどれかを選択して切り換える方法は示されていない。
【００１６】
本発明の無線通信機は、使用者が外出時に高速通信用ＳＩＭカード、在宅時に低速通信用ＳＩＭカードに自動的に切り換えてＰＬＭＮと通信することを目的とする。
【課題を解決するための手段】
【００１７】
上記の目的を達成するために、本発明の通信機は、第１の通信条件または第２の通信条件を選択して第１の接続先と通信を行う第１の通信部と、第２の接続先と通信を行う第２の通信部と、前記通信機の状態を監視するセンサ部と、前記第１の通信部が前記第１の通信条件を用いて接続中に前記第２の通信部が接続すると前記第２の通信条件に切換え、前記第１の通信部が前記第２の通信条件を用いて接続中に前記第２の通信部の接続していないと前記通信機の状態を含む所定の条件に基づいて前記第１の通信条件に切り換える制御部とを備える。
【発明の効果】
【００１８】
本発明によれば、無線通信機は、使用者が外出時に高速通信用ＳＩＭカード、在宅時に低速通信用ＳＩＭカードに自動的に切り換えてＰＬＭＮと通信することができる。
【図面の簡単な説明】
【００１９】
【図１】第1の実施形態の構成例を示す図である。
【図２】第1の実施形態の動作を説明する図である。
【図３】第1の実施形態の動作を説明する図である。
【図４】第1の実施形態の動作を説明する図である。
【図５】第２の実施形態の動作を説明する図である。
【図６】第３の実施形態の動作を説明する図である。
【図７】第４の実施形態の動作を説明する図である。
【図８】変形例の動作を説明する図である。
【図９】変形例の動作を説明する図である。
【発明を実施するための形態】
【００２０】
［第１の実施形態］
次に、本発明の実施の形態について図面を参照して詳細に説明する。
［構成の説明］
図１に第１の実施形態の構成を示す。
【００２１】
本実施形態の無線通信機１００は、スマートホン、モバイルルータ等である。無線通信機１００は、ＷＡＮ（Wide Area Network）無線部１０１、ＳＩＭ−Ａ １０２、ＳＩＭ−Ｂ １０３、ＬＡＮ無線部１０４から構成される。更に、無線通信機１００は表示部１０５、入力部１０６、制御部１０７、記憶部１０８、センサ部１０９から構成される。
【００２２】
ＷＡＮ無線部１０１は、ＰＬＭＮの基地局と無線で通信する回路で、IMT-2000（International Mobile Telecommunication 2000)、LTE（Long Term Evolution）、WiMAX（Worldwide Interoperability for Microwave Access）などの通信方式を用いる。
【００２３】
そして、ＳＩＭ−Ａ １０２、およびＳＩＭ−Ｂ １０３は、それぞれＳＩＭカードを挿入するモジュールである。このＳＩＭカードは、ＷＡＮ無線部１０１がＰＬＭＮに接続するために必要な識別情報が通信条件として記憶されているＩＣカードである。
【００２４】
本実施形態では、これらのＳＩＭに挿入されるＳＩＭカードは、ＰＬＭＮの運用者と次の契約を結んでいることとする。即ち、ＳＩＭ−Ａ １０２に挿入されるＳＩＭカードは月毎の累積使用データ量が、予め決められた一定量までは高速通信が行われ、一定量を超えると月末まで低速通信になるものとする。また、ＳＩＭ−Ｂ １０３に挿入されるＳＩＭカードは使用料金が低廉であるが、ずっと低速通信であるとする。
【００２５】
更に、ＬＡＮ無線部１０４は、自宅内などに設置されたホットスポットやホームルータと呼ばれるＬＡＮ基地局と無線で通信する回路である。そして、ＬＡＮ無線部１０４の通信方式は、無線ＬＡＮの規格であるIEEE（The Institute of Electrical and Electronics Engineers,Inc.）が定めるIEEE802.11があるが、それ以外のBluetooth（登録商標）などであっても良い。
【００２６】
また、表示部１０５は使用者に情報を知らせるための液晶表示器等による表示手段であり、入出力部１０６は使用者が情報を入力するためのキーボードやタッチパネル等による入力手段である。そして、制御部１０７は無線通信機１００の各構成要素と接続され、各構成要素を制御するＣＰＵ（Central Processing Unit；中央処理装置）であり、記憶部１０８は情報を記憶するための記憶素子である。
【００２７】
更に、センサ部１０９は、無線通信機１００本体の加速度を監視するセンサや、位置を監視するセンサ等のような、無線通信機１００の移動を推測するためのセンサである。そして、センサ部１０９が加速度センサであれば加速度情報を数値として出力し、位置監視センサであれば、緯度経度などの位置情報を数値として出力する。これらのセンサの出力情報は、無線通信機１００の使用者が、自宅に在宅か否かの判断の根拠となる情報を提供する。
［動作の説明］
次に、本実施形態の動作について図２、図３、および図４を参照して詳細に説明する。
【００２８】
まず、無線通信機１００を使用開始前に、予め使用者が記憶部１０８に必要な情報を記憶する。ここで、記憶部１０８に記憶する情報を図２を用いて説明する。図２は、記憶部１０８に記憶する情報を示した図である。
【００２９】
記憶部１０８へ記憶する情報は、ＳＩＭ−Ａ情報１１１、ＳＩＭ−Ｂ情報１１２、ホームネットワーク情報１１３である。そして、ＳＩＭ−Ａ情報１１１は、ＳＩＭ−Ａ １０２に挿入されているＳＩＭカードを外出用か自宅用の何れに用いるかの情報、ＳＩＭ−Ｂ情報１１２はＳＩＭ−Ｂ １０３に挿入されているＳＩＭカードを外出用か自宅用の何れに用いるかの情報である。
【００３０】
また、ホームネットワーク情報１１３は、ホームネットワークとして登録する基地局を識別するSSID（Service Set Identifier）、或いはBluetoothデバイス名等の情報である。
【００３１】
これらの情報を、使用者が記憶部１０８へ記憶させる際の、表示部１０５の具体的なイメージを図３に示す。表示部１０５はタッチパネルであり入力部１０６を兼ねていても良いし、表示部１０５とは別に入力部１０６としてキーボードを備えていても良い。使用者は表示部１０５を見ながら入力部１０６を操作して、記憶部１０８に情報を記憶する。
【００３２】
図３で、まずホームネットワーク用ＳＩＭ、即ち自宅用ＳＩＭの選択を行う。ここではＳＩＭ−Ａ １０２に高速通信用ＳＩＭが挿入され、ＳＩＭ−Ｂ １０３に低速通信用ＳＩＭが挿入されているとして、自宅用にＳＩＭ−Ｂを選択した。
【００３３】
次に、ホームネットワークの登録を行う。ホームネットワークが無線ＬＡＮであればホームネットワーク基地局のSSID、Bluetoothであればホームネットワーク基地局のBluetoothデバイス名等を登録しておく。図３では、複数個のホームネットワーク基地局を登録して、複数個所のホームネットワークに対応している。
【００３４】
以上のようにして、予め使用者は情報を記憶部１０８へ記憶する。
【００３５】
尚、センサ情報１１４は、ホームネットワークとの接続が無い時に、自宅用ＳＩＭから外出用ＳＩＭに切り換える判断に用いる情報である。即ち、無線通信機１００の移動を検知する際、センサ部１０９がどのような値を出力したら移動と判定するかの基準を記憶している。このセンサ情報１１４は、予め記憶部１０８に記憶されているものとする。
【００３６】
次に、上記の様にして記憶部１０８に情報が記憶された無線通信機１００の動作について、図４を用いて説明する。
【００３７】
無線通信機１００が動作を開始すると、制御部１０７はＷＡＮ無線部１０１から現在使用中のＳＩＭ（以下、アクティブＳＩＭ）がＳＩＭ−Ａ １０２であるか、ＳＩＭ−Ｂ １０３であるかの情報を取得する（Ｓ１０１）。このアクティブＳＩＭは、通常、無線通信機１００が前回最後に使用したＳＩＭが選択されている。次に、制御部１０７は記憶部１０８のＳＩＭ−Ａ情報１１１およびＳＩＭ−Ｂ情報１１２を参照して、アクティブＳＩＭが外出用のＳＩＭなのか、自宅用のＳＩＭであるかの判断を行う（Ｓ１０２）。
【００３８】
ステップＳ１０２において、アクティブＳＩＭがＳＩＭ−Ａ １０２であり、外出用ＳＩＭであると判断されると（Ｓ１０２でＹ）、ステップＳ１０３へすすむ。一方、アクティブＳＩＭがＳＩＭ−Ｂ １０３であり、自宅用ＳＩＭであると判断されると（Ｓ１０２でＮ）、ステップＳ１０６へすすむ。
【００３９】
ステップＳ１０３では、制御部１０７はＬＡＮ無線部１０４からＬＡＮ接続情報を取得する（Ｓ１０３）。
【００４０】
ここで、制御部１０７がＬＡＮ接続情報を取得する方法は次の通りである。ＬＡＮ無線部１０４は他の基地局から一定間隔で発信される識別情報（ビーコン信号）を受信すると、ＬＡＮ無線部１０４からビーコン信号を発信する。ＬＡＮ無線部１０４と他の基地局がビーコン信号を交換して互いに接続が許可されると、ＬＡＮ無線部１０４と他の基地局は接続される。そして、制御部１０７は、ＬＡＮ無線部１０４の接続先の識別情報をＬＡＮ無線部１０４から取得することが可能となる。
【００４１】
尚、無線の受信電界強度が劣化するなどで、ＬＡＮ無線部とホームネットワーク基地局との間でビーコン信号が交換できなくなると、接続は切断される。
【００４２】
以上の接続プロセスは、一般的に無線ＬＡＮ通信等で行われているため、詳細の説明は省略する。
【００４３】
ステップＳ１０３に続き、制御部１０７はステップＳ１０３で制御部１０７が取得した接続情報が、記憶部１０８のホームネットワーク情報１１３に存在するか否か、即ち無線通信機１００がホームネットワークに接続中か否かを判断する（Ｓ１０４）。
【００４４】
ステップＳ１０４でネットワークに接続中と判断される（Ｓ１０４でＹ）と、制御部１０７は使用ＳＩＭを自宅用ＳＩＭであるＳＩＭ−Ｂ １０３に切り換えて（Ｓ１０５）、ステップＳ１０６にすすむ。一方、ステップＳ１０４でネットワークに接続中でないと判断される（Ｓ１０４でＮ）と、ステップＳ１０３に戻る。
【００４５】
一方、ステップＳ１０２でアクティブＳＩＭが外出用ＳＩＭでない、即ち自宅用ＳＩＭであると判断されて（Ｓ１０２でＮ）、ステップＳ１０６にすすむと制御部１０７はＬＡＮ無線部１０４からＬＡＮ接続情報を取得する（Ｓ１０６）。このステップＳ１０６の動作は、ステップＳ１０３の動作と同じである。
【００４６】
そして、制御部１０７はステップＳ１０６で制御部１０７が取得した接続情報が、記憶部１０８のホームネットワーク情報１１３に存在するか否か、即ち無線通信機１００がホームネットワークに接続中か否かを判断する（Ｓ１０７）。
【００４７】
ステップＳ１０７でホームネットワークに接続中と判断される（Ｓ１０７でＹ）と、ステップＳ１０６に戻る。一方、ステップＳ１０７でホームネットワークに接続中でないと判断される（Ｓ１０７でＮ）と、制御部１０７はセンサ部１０９の監視情報を取得する（Ｓ１０８）。そして、制御部１０７はステップＳ１０８で得たセンサ部の監視情報と、記憶部１０８のセンサ情報の判定基準に基づいて、無線通信機１００が移動中か否かを判断する（Ｓ１０９）。
【００４８】
ここで、無線通信機１００が移動中であることを判断する方法の例を示す。無線通信機１００が移動中であることを判断する方法として、加速度センサの加速度情報が、一定時間内に変動していれば無線通信機１００は移動中と判断する方法がある。或いは、ＧＰＳ(Global Positioning System)から得られる位置情報が、一定時間内に変化していれば無線通信機１００は移動中と判断する方法もある。
【００４９】
また、移動中であることの判断として、加速度情報の変動値とＧＰＳの位置情報の変動値の両方が共に一定値を超えた場合を移動中と判断するようにしても良い。
【００５０】
ステップＳ１０９で無線通信機１００が移動中であると判断されると（Ｓ１０９でＹ）、制御部１０８は使用ＳＩＭを外出用ＳＩＭであるＳＩＭ−Ａ １０２に切り換えて（Ｓ１１０）、ステップＳ１０３にすすむ。
【００５１】
一方、ステップＳ１０９で無線通信機１００が移動中でないと判断されると（Ｓ１０９でＮ）、ステップＳ１０６に戻る。
【００５２】
以上のようにすることで、本実施形態の無線通信機１００は、ホームネットワークに接続中におけるＰＬＭＮとの接続には必ず低速通信用ＳＩＭカードを使用する。
【００５３】
そして、無線通信機１００は、ホームネットワークに接続していない場合に、無条件で高速通信用ＳＩＭカードに切り換えるのではなく、無線通信機１００が移動すると高速通信用ＳＩＭカードに切り換える。
【００５４】
つまり、ホームネットワークの基地局が、夜間などタイマー機能で一定時間停止中でも、無線通信機１００が移動しなければ低速通信用から高速通信用のＳＩＭカードには切り換わらない。
【００５５】
このようにすることで、本実施形態の無線通信機は、使用者が在宅か外出かの状況を判断してＳＩＭを切り換えることが可能となる。
［第２の実施形態］
次に、第２の実施の形態について図面を参照して詳細に説明する。
［構成の説明］
第２の実施形態の構成を示す図は、第１の実施形態の構成を示す図１と同じである。
【００５６】
本実施形態におけるセンサ部１０９は、無線通信機１００が充電中か充電中でないかを監視するセンサである。このセンサが充電中か否かを監視する方法は、蓄電池を内蔵する装置において、一般的に使われている技術であるので説明を省略する。
［動作の説明］
次に、第２の実施の形態の動作について図５を参照して説明する。
【００５７】
図５では、第１の実施形態の動作を示す図４におけるステップＳ１０９が、ステップＳ２０９に替わっている。
【００５８】
第１の実施形態では、ステップＳ１０９で、制御部１０７は無線通信機１００が移動中か否かを判断していた。一方、本実施形態のステップＳ２０９では、無線通信機１００が充電中であるか否かの判断を行う（Ｓ２０９）。
【００５９】
制御部１０７はステップＳ２０９で充電中であると判断すると（Ｓ２０９でＹ）ステップＳ２０６に戻り、制御部１０７はステップＳ２０９で充電中でないと判断すると（Ｓ２０９でＮ）ステップＳ２１０にすすむ。そして、ステップＳ２１０で制御部１０７は使用ＳＩＭを外出用ＳＩＭであるＳＩＭ−Ａ １０２に切り換えて（Ｓ２１０）、ステップＳ２０３にすすむ。
【００６０】
例えば、スマートホン等の場合、充電は自宅で行い、外出時には充電を行っていないことが一般的である。そこで、充電中であることが、使用者が在宅していることであると判断するのが本実施形態に示す無線通信機１００である。
【００６１】
本実施形態に示す無線通信機１００は自宅用ＳＩＭから外出用ＳＩＭへの切り替え判定に、端末の充電状態を使用することで、ＳＩＭカードの切り換えタイミングを、第１の実施形態に示す無線通信機と比べてより正確に行うことが可能となる。
［第３の実施形態］
次に、第３の実施の形態について図面を参照して詳細に説明する。
［構成の説明］
第３の実施形態の構成を示す図は、第１の実施形態の構成を示す図１と同じである。
［動作の説明］
次に、第３の実施形態の動作について図６を参照して説明する。
【００６２】
図６と、第１の実施形態の動作を示す図４との違いは、図４のステップＳ１０４に対応するステップＳ３０４の後にステップＳ３０５が追加され、更にステップＳ１０７に対応するステップＳ３０８の後にステップＳ３０９が追加されている。
【００６３】
まず、無線通信機１００を使用開始前に、予め使用者が記憶部１０８に必要な情報を記憶する。記憶部１０８へ記憶する情報は、ＳＩＭ−Ａ情報１１１、ＳＩＭ−Ｂ情報１１２、ホームネットワーク情報１１３である。これらの情報の記憶方法については、第１の実施形態の動作の説明で説明した通りである。また、センサ情報１１４は、第１の実施形態の動作の説明と同様に、予め記憶部１０８に記憶されている
次に、上記の様にして記憶部１０８に情報が記憶され無線通信機１００の動作について、図を用いて説明する。
【００６４】
無線通信機１００が動作を開始してからステップＳ３０２までは、第１の実施形態で示した図４の開始からステップＳ１０２までの動作と同一である。
【００６５】
ステップＳ３０２において、アクティブＳＩＭがＳＩＭ−Ａ １０２であり、外出用ＳＩＭであると判断されると（Ｓ３０２でＹ）、ステップＳ３０３へすすむ。一方、アクティブＳＩＭがＳＩＭ−Ｂ １０３であり、自宅用ＳＩＭであると判断されると（Ｓ３０２でＮ）、ステップＳ３０７へすすむ。
【００６６】
ステップＳ３０３からステップＳ３０４までは、図４のステップＳ１０３からステップＳ１０４の動作と同じである。
【００６７】
ステップＳ３０４で無線通信機１００がホームネットワークに接続中でないと判断されると（Ｓ３０４でＮ）、ステップＳ３０３へ戻る。
【００６８】
また、ステップＳ３０４でホームネットワークに接続中と判断される（Ｓ３０４でＹ）と、制御部１０７はＬＡＮ無線部１０４から接続中の電波の受信電界強度を取得する。そして、制御部１０７は、取得した受信電界強度が予め記憶部１０８が保有する受信電界強度の設定値以上であるかどうかを判断する（Ｓ３０５）。
【００６９】
そして、ステップＳ３０５で設定値以上であれば（Ｓ３０５でＹ）、制御部１０７は記憶部１０８のＳＩＭ−Ａ情報１１１およびＳＩＭ−Ｂ情報１１２を参照して、自宅用ＳＩＭであるＳＩＭ−Ｂ １０３に切換えて（Ｓ３０６）、ステップＳ３０７にすすむ。また、ステップＳ３０５で設定値以上でなければ（Ｓ３０５でＮ）、ステップＳ３０３に戻る。
【００７０】
一方、ステップＳ３０７では、制御部１０７はＬＡＮ無線部１０４からＬＡＮ接続情報を取得する（Ｓ３０７）。このステップＳ３０７の動作は、第１の実施形態で示した図４のステップＳ１０３の動作と同じである。そして、制御部１０７はステップＳ３０７で制御部１０７が取得した接続情報が、記憶部１０８のホームネットワーク情報１１３に存在するか否か、即ち無線通信機１００がホームネットワークに接続中か否かを判断する（Ｓ３０８）。
【００７１】
ステップＳ３０８でホームネットワークに接続中と判断される（Ｓ３０８でＹ）と、ステップＳ３０９にすすむ。一方、ステップＳ３０８でホームネットワークに接続中でないと判断される（Ｓ３０８でＮ）と、ステップＳ３１０にすすむ。
【００７２】
ステップＳ３０９では、制御部１０７は、取得した受信電界強度が予め記憶部１０８が保有する受信電界強度の設定値以上であるかどうかを判断する（Ｓ３０９）。
【００７３】
そして、ステップＳ３０９で設定値以上であれば（Ｓ３０９でＹ）、ステップＳ３０７に戻る。また、ステップＳ３０９で設定値以上でなければ（Ｓ３０９でＮ）、ステップＳ３１０にすすむ。
【００７４】
ステップＳ３１０では、制御部１０７はセンサ部１０９の監視情報を取得する（Ｓ３１０）。そして、制御部１０７はステップＳ３１０で得たセンサ部の監視情報と、記憶部１０８のセンサ情報の判定基準に基づいて、無線通信機１００が移動中か否かを判断する（Ｓ３１１）。ステップＳ３１１の判断方法については、第１の実施形態のステップＳ１０９の説明と同じである。
【００７５】
ステップＳ３１１で無線通信機１００が移動中であると判断されると（Ｓ３１１でＹ）、制御部１０７は使用ＳＩＭを外出用ＳＩＭであるＳＩＭ−Ａ １０２に切り換えて（Ｓ３１２）、ステップＳ３０３にすすむ。
【００７６】
第１の実施形態では、ステップＳ１０４およびステップＳ１０７で制御部１０７は、無線通信機１００がホームネットワークに接続されているか否かを判断していた。
【００７７】
一方、本実施形態では、ステップＳ３０４およびステップＳ３０８でＬＡＮ無線部１０４がホームネットワークに接続されていると判断された後に、ステップＳ３０５およびステップＳ３０９の判断が追加されている。そして、ステップＳ３０５およびステップＳ３０９では、接続中のホームネットワーク基地局の電波の受信電界強度が設定値以上であるか否かの判断が行われる。
【００７８】
このようにすることで、次の効果が得られる。
【００７９】
例えば、使用者が家の近所を素通りする時は無線通信機１００のＳＩＭは切り替わらないでほしい。一般的に使用者が家の近所を素通りして、無線通信機１００がホームネットワークに接続しても、在宅時の家の中よりホームネットワークの受信電界強度は小さい。そこで、記憶部１０８が保有する受信電界強度の設定値が高めに設定されていれば、使用者が家の前を素通りして、ＬＡＮ無線部１０４がホームネットワークと一時的に接続しても、ＳＩＭの切り換えは発生しない。
【００８０】
本実施形態に示す様に、ホームネットワークの接続判断に対して、受信電界強度による判断を加えることで、使用者が帰宅して家の中に戻ったことをより的確に判断することが可能となる。従って、第１の実施形態に示すＳＩＭの切り換え方法より、本実施形態に示すＳＩＭの切り換え方法に従った方が、より適切な切り換えが可能になる。
［第４の実施形態］
次に、第４の実施の形態について図７を参照して説明する。
【００８１】
本実施形態に示す通信機２００は、第１の通信条件または第２の通信条件を選択して第１の接続先と通信を行う第１の通信部２０１と、第２の接続先と通信を行う第２の通信部２０２とを備える。また、通信機２００は前記通信機２００の状態を監視するセンサ部２０３とを備える。更に通信機２００は制御部２０４とを備える。そして、前記制御部２０４は前記第１の通信部２０１が前記第１の通信条件を用いて接続中に前記第２の通信部２０２が接続すると前記第２の通信条件に切換える。更に、前記制御部２０４は、前記第１の通信部２０１が前記第２の通信条件を用いて接続中に前記第２の通信部２０２が接続していないと前記通信機２００の状態を含む所定の条件に基づいて前記第１の通信条件に切り換える。
【００８２】
このようにすることで、無線通信機２００は使用者が外出時に高速通信用ＳＩＭカード、在宅時に低速通信用ＳＩＭカードに自動的に切り換えてＰＬＭＮと通信することができる。
【００８３】
以上、本発明の好適な実施形態を説明したが、上記実施形態に限定されるものではなく、次のように拡張または変形できる。
【００８４】
例えば、変形例として図８のフローチャートに従う動作をする無線通信機を示す。図８では、図６に示す第３の実施形態の動作におけるステップＳ３１１の判断が、ステップＳ４１１の判断に替わっている。これは、第１の実施形態で示した図４におけるステップＳ１０９を、第２の実施形態で示した図５におけるステップＳ２０９に替えたことと同様の効果をもたらす。
【００８５】
従って、本変形例の無線通信機は、自宅用ＳＩＭから外出用ＳＩＭへの切り替え判定に、無線通信機の充電状態を使用することで、第３の実施形態に示す無線通信機と比べてＳＩＭカードの切り換えを、より正確に行うことが可能となる。
【００８６】
更に、第３の実施形態と上記変形例の動作の何れにするかを、使用者が選択できるようしても良い。第３の実施形態に示す動作と変形例の動作の何れにするかを使用者が選択する際の、表示部１０５の具体的なイメージを図９に示す。
【００８７】
また、これまでの実施形態および変形例で述べた無線通信機は、有線通信機であっても良い。その場合、ＷＡＮ無線部は有線ＷＡＮ通信部、ＬＡＮ無線部は有線ＬＡＮ通信部として構成される。
【符号の説明】
【００８８】
１００  無線通信機
１０１  ＷＡＮ無線部
１０２  ＳＩＭ−Ａ
１０３  ＳＩＭ−Ｂ
１０４  ＬＡＮ無線部
１０５  表示部
１０６  入力部
１０７  制御部
１０８  記憶部
１０９  センサ部
１１１  ＳＩＭ−Ａ情報
１１２  ＳＩＭ−Ｂ情報
１１３  ホームネットワーク情報
１１４  センサ情報
２００  通信機
２０１  第１の通信部
２０２  第２の通信部
２０３  センサ部
２０４  制御部
【図１】
0006580839.tif 000002
【図２】
0006580839.tif 000003
【図３】
0006580839.tif 000004
【図４】
0006580839.tif 000005
【図５】
0006580839.tif 000006
【図６】
0006580839.tif 000007
【図７】
0006580839.tif 000008
【図８】
0006580839.tif 000009
【図９】
0006580839.tif 000010